(57)【要約】      （修正有）【課題】底灌水栽培法として吸水紐の毛細管現象の応用で上の容器に水を吸い上げ、培養土に供給する方法で発生する、給水紐への植物成長時の根絡みによる過湿が生じない底潅水栽培法を提供する。【解決手段】栽培容器１の下にタンク３を置き貯水した水５をマイクロクロスの給水紐の毛細管現象で必要水量を吸い上げ、上の容器１の培養土に供給する方法を採用し、さらに赤玉土を５０％以上で混合培養土２となし、培養土の隙間を埋めることにより、土に含まれた水は連鎖状態になり、毛細管で水５を半永久的に吸い上げることが可能とする。【選択図】図１
2015058006.tif 000002
【特許請求の範囲】
【請求項１】
底潅水に使用する吸水紐として化学繊維であるマイクロクロスを用い細長い１ｃｍの円柱状の胴体と頭の部分にはさらに２ｃｍ幅のマイクロクロスを２，３重巻き、最近開発された東洋紡の防根透水シートで頭を覆い、胴体の外周と共に糸で巻いて照る照る坊主型に形成してタンクから水を培養土に毛細管現象で吸い上げ培養土内の植物の根が必要とする水分量の供給し、吸水紐への植物の根がらみを防ぐ給水紐を使用する底灌水栽培法
【請求項２】
底灌水において従来の液相の高い培養土の吸水性を利用して毛細管で水を吸い上げる方法では根腐れなどの障害が発生する。この根腐れを改善するため赤玉土を５０％以上で他の種類の培養土を混合した栽培用培養土を使用し、栽培培養土に底灌水と上からの灌水で液相飽和状態にさせ、底灌水を継続させれば飽和状態が継続するので常に一定の数値が継続する状態で栽培を行えば、培養土は土の接触によって水連鎖状態になっているので毛細管の連続性が継続し、赤玉土と砂とを混合させたような低液相状態でも水切れせず底灌水が可能であり、同時に容器の底をトントントンと地面に打ち付け混合培養土の隙間を無くし、仮比重も上げれば永久的に毛細管の連続性が確率することを利用した底灌水栽培方法で植物の栽培を行う。水を上から灌水するのは手動の井戸ポンプと同じ誘い水の要領であり、水には重力に逆らっても引き合う力があり、水の連鎖状態であれば、団粒構造の混合赤玉土であっても土が接して土に含まれる水が繋がり、植物の根が水を吸い上げる力で水はすい上がり、毛細管栽培が反永久的に可能となる底灌水栽培法。
【請求項３】
培養土表面にマルチをすることで夏場などの激しい水分蒸発における水切れが発生することがあるので水飽和状態における連鎖性の継続を保ち、栽培を行うための予防処置をおこなう底灌水栽培法。
【発明の詳細な説明】
【技術分野】
【０００１】本発明は植物栽培において栽培に必要な水をタンクに貯水し、その水を給水紐による毛細管によってタンクの上に置く鉢やプランターの培養土に給水して植物栽培をせんとする底灌水栽培法であるが、多くの種類の栽培に応用するには、植物の栽培に適応した培養土の選択が必要であり、その培養土の選択と底灌水への使用方法である。容器の底に固定する給水紐は水を含むため植物の根が水を求めて吸水紐に絡み過湿になりがちであった問題を解決し省力的で衛生的にも優れ、難しい水遣り技術も必要のなく優秀な栽培結果を得ることを目的とする植物栽培法である。
【背景技術】
【０００２】植物栽培の底灌水給水技術はシクラメンや各種の花栽培に応用されてきたが、使用するピートモスなどの混合培養土は液相が高く根腐れが発生しがちであり、多種類の植物栽培には適応しない。また給水紐を使用した底灌水においては水分を給水する給水紐に、植物が成長することによって根が伸び、からんで植物は過湿気味になる。シクラメンなどの栽培では過湿を解決するにエブ、アンド、フローの方法も考え出されたが、省力的とは言えず一般家庭用に対応しにくい。特開２００６−１８０８６７や特開２００８−１８７９０１特許は過湿による問題が発生し良好な植物栽培容器やシステムが提供されていない。さらに特開２００８−１８７９０１においてはポットの下部にトレイを置いて貯水する方式であり、植物栽培の根は成長することで下部のトレイ内の水に直接触れるに至り、植物は過湿により成長不良に至る。又、特願２０１２−１３９１７１においては給水紐に絡む問題の解決法を提供しているが、防根対策のシートの根がらみ対策が不十分であり培養土の問題は解決していない。
【先行技術文献】
【０００３】
【特許文献１】特開２００６−１８０８６７号公報
【特許文献２】特開２００８−１８７９０１号公報
【特許文献３】特願２０１２−１３９１７１
【０００４】
【非特許文献１】愛知県農業試験場  鉢花の底面吸水技術
【非特許文献２】岡山大学  毛管給水紐によるトマト栽培の可能性について
【発明の概要】
【発明が解決しようとする課題】
【０００５】本発明は省力化を目的として吸水紐を利用して栽培に必要な水を供給する底灌水植物栽培である。現在、底潅水はシクラメンや花栽培などで生産農家に利用されているが、その底潅水技術を向上させ一般家庭用に利用できるように発展させ結果を残すことが課題であり、ピートモスを中心として配合された吸水性のある高液相の培養土は湿地帯に咲くような過湿に強い種類の植物にしか応用はできず、酸素を必要とする盆栽や過湿に弱い花の底灌水栽培には適していない。このため多くの種類の栽培に適した培養土を見つけ、使用方法を確率させることが課題であり目的である。又栽培容器の底部分に固定する水を含んだ給水紐に成長した根が絡む過湿を防ぐことも課題である。又、タンクを利用する省力化栽培として水のむだな蒸発を防ぎ、栽培に必要な毛細管水量を得る飽和状態を維持し、タンク内のコケの繁殖を防ぎ、水切れ対策も行う。
【課題を解決するための手段】
【０００６】前記の課題を解決するにおいて、培養土にピートモスを使用し培養土過湿が問題となっているとの非特許文献１の愛知県農業試験場の栽培実績の資料があり、どのような培養土で底灌水が可能であるかシクラメン以外の栽培において色々な種類の培養土でテスト栽培実験を行いながら適切な培養土を選択した。結果は昔から受け継がれたきた赤玉土を５０％程度配合するならば吸水性のない砂との液相の低い混合培養土でも、毛細管吸水による底灌水での栽培ができることが確認した。砂や軽石は水を吸水しないので毛細管の水は吸い上がらない。また、赤玉土の吸水速度は遅く緩やかで栽培する植物に素早く供給ができないが、赤土と砂のような混合培養土でも水分量が飽和状態であるならば、根が成長に必要な水をタンクから素早く吸い上げることが可能になることが確認できた。水には重力に逆らうほどの引き合う力があり水の連鎖性があれば根が必要とする水を給水紐を通してタンクの水を素早く吸い上げ、培養土に供給し、根にもすぐに到達することが可能となる。このため栽培方法としては最初、栽培を始める前に混合培養土の表面から十分に潅水して培養土を吸水させ、給水紐からも底灌水で給水するならば、赤玉土は数時間で培養土液相飽和状態になる。実際に飽和になるかどうか培養土の重量を測定して説明する。培養土は最初は水を吸水していないので軽い。仮の重さであるが５００ｃｃの重さは３００ｇであるとする。次に上からたっぷりと潅水すると水は気相の部分まで浸透し重さは４５５ｇになり、続けて底灌水を行いながら放置すると数時間後には４５０ｇになる。この４５０ｇの重さは底灌水を継続させるならば１週間、１０日経過しても同じである。晴れた日は表面付近の蒸発で１、２ｇの蒸発があるが夜には回復する。飽和状態であることは培養土全体が水を吸って変色するので確認できる。この一定の重さになり、変動しない培養土が液相飽和状態であり、培養土はこれ以上吸水することはない。この飽和状態の培養土の三相は安定しており灌水によって団粒構造内の気相部分に滞留していた水は時間と共に培養土に吸い込まれ、過剰な水は下のタンクに注水紐を通して流れ落ちる。赤玉土の混合培養土は三相部分が完全に分離し、土同士の接触により水の連鎖性が確保され、気相部分も分離した理想的な培養土状態になる。赤玉土７０％川砂３０％では液相は低く、気相が高く、通気性がいいので混合培養土は水分蒸発が発生するが、室内栽培では蒸発は表面のみであり、内部の連鎖性は確保される。しかし、夏場の屋外では急激な乾燥では内部まで乾燥することがあり連鎖性は途切れ、切断する。その防止対策として培養土表面にミズゴケを置いたりバークチップを置いてマルチを行い乾燥を防ぎ、半日陰に置くなどの対応で蒸発を防ぐ。また、小さな苗にはビニールマルチをして、ビニール内部を高湿度にすることで水の蒸発を防止する。給水紐の材料はマイクロクロスであって、てるてる坊主状に形成し、頭から胴体を垂らし下に置くタンクから毛細管で水を吸い上げ培養土に水供給を行うが、給水紐頭部分に成長した植物の根が集中し、植物が過湿ぎみになる課題であるが、最近開発された東洋紡の防根透水シートを頭部分に被せることによって根がらみはなくなる。混合培養土の栽培テストにおいて、乾燥を好む種類の花は赤玉７０％、ピートモス３０％において根腐れになり、酸素を必要とする桜の盆栽なども根腐れで枯れる。逆にパンジーやサファニアのように高液相の培養土を好む種類では赤土とピートモスの混合培養土で化成肥料を混合すれば大株になり大きく成長する。このことから花の種類に合わせて赤玉土と腐葉土。赤玉土と砂。赤玉土とピートモスのように混合し花の環境に合わせた栽培を行うことが必要となる。タンクのコケの発生であるがタンクを不透明なプラ容器と蓋を使用することで防ぐことは可能である。但しタンクや蓋が不透明では水の量がわからないので水の減少を知らせる水量計をタンクに付けることは必要である。また、タンク容器の蓋に穴を別に設け、その穴から水を補給する。培養土表面からの灌水によって水はタンク底と吸水紐の間の隙間から下に流れ落ちるので、タンクは水が溢れないように注意する。また近距離による毛細管水の吸い上げでは底部分に水が溜まり２ｃｍ以上の距離を離しての栽培を行う必要があり、吸水紐の頭部分が栽培容器底から２ｃｍ程度上がるように底石を２ｃｍ程度置き、底石の上に吸水紐の頭部分を設置して底灌水を行う。
【発明の効果】
【０００７】この発明の底灌水法で実際の栽培を行った。実験では吸水量が多いピートモス３０％、赤土７０％の混合した培養土でノースポール、パンジー、サファニア等の春先に咲く数種類の花の栽培と、同時に乾燥を好むアメリカンブルーポーチュラカ、桜の盆栽を栽培した。この結果、ノースポール、パンジー、サファニア等の春先に咲く花は化成肥料との混合によって順調に生育し、大株になり大輪の花を咲かせ大きく成長した。しかしアメリカンブルーは根腐れが発生して枯れ、桜の木は葉の先が黒くなる根腐れの兆候を示し枯れた。ポーラチュカや日々草なども育つことは無かった。このためアメリカンブルーや日々草などの乾いた土を好むような種類の花や酸素を必要とする盆栽などの栽培においては赤土７０％腐葉土３０％で栽培を行った。結果は根腐れもなく順調な生育を示したが、大きく成長するというまでには至らず、もっと底灌水の栽培に適した培養土の混合や肥料などの研究が必要であろうと思われる。同時に低液相の混合培養土であっても上から灌水して飽和状態にして底灌水栽培を行うことで底灌水は可能となり、夏場の乾燥時期以外は急激な蒸発もない。吸水紐への根がらみであるが防根透水シートの採用で根絡み、過湿障害には至っていない。タンクは不透明なため日光を遮断し苔の発生もないが内部が見えないので水量計を付属して水を補給することで水切れも発生しない。しかし、サファニアなどの大株になると水の消費は激しく一日に１０００ｃｃ以上の水をタンクから吸い上げることがわかり、栽培する花に応じてタンクの容量を大きくする必要性も発生する。底石を栽培容器底に置くことで上から潅水する水は栽培用器底と給水紐の間の隙間からタンクに流れ、底石を２ｃｍ程度置き、その上に給水紐頭部があることでタンク水面からの距離が離れ、近距離での底に水が貯まる弊害もなくなり、酸素を底に保持する。タンク蓋には水量計を入れる穴と水注入穴を開けて使用する。
【発明を実施するための最良の形態】
【０００８】この底灌水栽培法は１栽培容器に２混合培養土を入れ、栽培のための５水を下に置く３不透明プラタンクに確保して、吸水紐を通して５水を培養土に供給する底灌水栽培法である。吸水紐は１栽培容器の底に直径１５ｍｍ程度の穴を開け、その穴からＣ給水紐胴体を下の３不透明プラタンクの水に降ろすが、１栽培容器底には軽石のようなＨ底石を２ｃｍ程度置き、酸素を確保するが、底の上の培養土に直径２ｃｍの円柱形のＢ吸水紐頭部があり、、そのＢ給水紐頭部には、さらにＧ防根透水シートを被せて植物の根がらみの発生を防ぐ。吸水紐は図１のように細い胴体の照る照る坊主状であってＣ吸水紐胴体をタンクに貯水した５水に降ろして吸い上げる。２混合培養土は植物の環境に合わせて赤玉土を５０％以上混ぜて調整をする。２混合培養土は栽培の始め、ポット苗を植えつけたあとや種を蒔いたあとにたっぷりと灌水して飽和状態になるようにしてから栽培を始める。３不透明プラタンクの５水はコケも発生せず腐敗もないが４水量計をつけて水切れ防止をする。タンクへの給水は蓋に設けたＥ水注入穴から注入する。
【産業上の利用可能性】
【０００９】  本発明の底潅水栽培システムの栽培容器は屋内インテリアとして使用できるように形状や材質は問わない。不透明プラスチックタンクと栽培容器を自由に組み合わせ形状を問わず個人の好みによる栽培を行う。底潅水は上から潅水の必要がない省力的な水やりの方法で、ジョウロによる日々の水遣りから解放され、栽培に手間が要らないため病院や介護施設、一般家庭などの高齢者や身体的に不自由な人々にも、屋内花栽培、育苗、発芽が出来るので、生活に潤いと喜びを提供することができ簡単で良好な栽培ができるので社会に受け入れられる可能性はある。
【図面の簡単な説明】
【００１０】
【図１】図１は本発明実施例の正面からの断面図であって、１栽培容器の底に吸水紐を固定する。Ｆ栽培容器底の穴の直径は１５ｍｍ程度であり、１０ｍｍ程度の給水紐を不透明プラタンクに降ろして５水を２混合培養土に給水する。底にはＨ底石を２ｃｍ程度敷き詰め、その上の培養土にＢ給水紐頭部がある。Ｂ給水紐頭部は直径２ｃｍの球形である。栽培を始める前に２混合培養土の上からたっぷりと潅水するが５水はＦ栽培容器底部の穴とＣ給水紐胴体との隙間からタンクに流れ落ちる。Ｂ給水紐頭部は最近東洋紡が開発したＧ遮根透水シートで覆い、根が成長して絡み過湿になるのを防止する。タンクは３不透明プラタンクを使用しているのでコケの発生はないが４水量計を付けて水切れを防止する必要がある。上からたっぷりと潅水した５水と底灌水によって赤玉土５０％以上と他の培養土を混合する培養土は水分飽和状態になり、水は連鎖状態になり毛細管水は根の引き上げる力で容易にタンクから吸い上がり混合した培養土は水切れもない。培養土は水分飽和状態であり、三相が分離した良好な状態になり、栽培結果も良好である。栽培によって減少するタンクの水は蓋に開けたＥ水注入穴から４水量計を見ながら注入する。
【図２】図２は吸水紐の正面断面図であり、参照とするものである。
【符号の説明】
【００１１】１  栽培容器  ２  混合培養土  ３  不透明プラタンク  ４  水量計（浮き）  ５  水
６  支柱
Ａ  蓋穴部  Ｂ  吸水紐頭部  Ｃ  吸水紐胴体部  Ｄ  タンク蓋  Ｅ  水注入穴
Ｆ  栽培容器底部  Ｇ  防根透水シート  Ｈ  底石
【図１】
2015058006.tif 000003
【図２】
2015058006.tif 000004